(57)【要約】【課題】情報表示装置の指針が動作を停止するタイミングを明瞭にする。【解決手段】情報表示装置である電子時計１は、表示する情報に基づいてディスク２３の位置を変更するステッピングモータ３２ｃと、ステッピングモータ３２ｃがディスク２３の位置を変更する動作の終了時に、ディスク２３に表示する情報の種類に応じた停止動作を行わせるＣＰＵ４１とを備える。【選択図】図３
2017227551.tif 000002
【特許請求の範囲】
【請求項１】
表示する情報に基づいて指針の位置を変更する位置変更手段と、
前記位置変更手段が前記指針の位置を変更する動作の終了時に、前記指針に前記表示する情報の種類に応じた停止動作を行わせる動作手段と、
を備えることを特徴とする情報表示装置。
【請求項２】
前記位置変更手段は、前記指針が前記情報を表示した時を前記指針の位置を変更する動作の終了時とする、
ことを特徴とする請求項１に記載の情報表示装置。
【請求項３】
前記動作手段が行う停止動作は、前記指針を振り戻す動作である、
ことを特徴とする請求項１または２に記載の情報表示装置。
【請求項４】
前記動作手段は、前記指針が前記情報を表示している範囲で、前記指針を振り戻す、
ことを特徴とする請求項３に記載の情報表示装置。
【請求項５】
前記動作手段は、前記指針が表示する情報の種類に応じて、前記指針を振り戻す回数を決定する、
ことを特徴とする請求項３に記載の情報表示装置。
【請求項６】
前記動作手段は、前記指針が表示する情報の種類が大分類ほど、前記停止動作において前記指針を振り戻す回数を多くする、
ことを特徴とする請求項５に記載の情報表示装置。
【請求項７】
前記動作手段は、前記位置変更手段が前記指針の位置を変更する際の速度とは異なる速度で前記停止動作を行う、
ことを特徴とする請求項１ないし６のうちいずれか１項に記載の情報表示装置。
【請求項８】
前記指針は、時針、分針、秒針、ディスクのうちのいずれかである、
ことを特徴とする請求項１ないし７のうちいずれか１項に記載の情報表示装置。
【請求項９】
指針を駆動する駆動手段を備えるコンピュータに、
表示する情報に基づいて、前記駆動手段により指針の位置を変更する位置変更手段、
前記位置変更手段が前記指針の位置を変更する動作の終了時に、前記指針に前記表示する情報の種類に応じた停止動作を行わせる動作手段、
として機能させるためのプログラム。
【発明の詳細な説明】
【技術分野】
【０００１】
本発明は、情報表示装置およびプログラムに関する。
【背景技術】
【０００２】
従来の電子時計では、時分秒の表示に加えて、日付を表示する機能を備えるものがある。この日付表示機能は、例えば文字盤の下部に設けられたディスク状の機能針によって実現される。この文字盤には開口窓が設けられて、ディスク状の機能針の上面に設けられた標識のうち一つが選択的に上部に露出されるようになっている。以下、このディスク状の機能針のことを、単に「ディスク」と記載する。電子時計は、このディスクを時計回りに正転する際には、目標位置において停止する。ディスクを反時計回りに逆転する際には、目標位置においてバックラッシュを取ってから停止する。これにより、ディスクの表示位置を適切に補正することができる。
【０００３】
また、近年の電子時計では、電子技術の進歩に伴い、様々な情報を表示することが要請されている。そのため、アナログ時計にデジタル表示を組み合わせるものも出現している。特許文献１の要約には、「電池の消耗状態に応じて駆動する指針を切り換え、また、指針を停止させることにより表示できなくなった情報をデジタル表示部１１に表示することにより、時刻表示機能の延命を図ることができる。」と記載されている。
【０００４】
更にデジタル表示によらず、ディスクによって様々な情報を表示する電子時計も現れている。ディスクに表示される情報とは、例えば、時計の動作モードの表示や、サマータイムＯＮ／ＯＦＦの表示や、アラームＯＮ／ＯＦＦの表示などである。また、主たる日時表示（主時計）に加えて、世界各地の時刻（副時計）を表示させることが可能な世界時計機能を有する電子時計がある。このような電子時計は、例えば、主時計の表示と同時に他の位置での日時を副時計または小時計として表示可能なものや、操作ボタンによる切替えで主時計と副時計とのうちいずれかを選択的に表示可能なものがある。このような世界時計機能を有することで、この電子時計のユーザは、種々の用途に係る複数の地点での日時を速やかに知得することができる。ここで種々の用途とは、現在位置の時刻と仕事上重要な他所の時刻との組合せや、旅行滞在先の時刻と普段生活しているホーム位置の時刻との組合せなどである。
【先行技術文献】
【特許文献】
【０００５】
【特許文献１】特開２００５−８３９７９号公報
【発明の概要】
【発明が解決しようとする課題】
【０００６】
しかし、上記のような電子時計では、表示される情報が、異なる情報に切り替わったことがユーザに判りにくいという問題があった。
また、ユーザの操作に応じてワールドタイムの都市を指し示す時などに、異なる情報に切り替わったことをユーザに判りやすくすることが望ましい。
【０００７】
そこで、本発明は、情報表示装置について、表示される情報が切り替わったタイミングを明瞭にすることを課題とする。
【課題を解決するための手段】
【０００８】
本発明は、上記目的を達成するため、
表示する情報に基づいて指針の位置を変更する位置変更手段と、
前記位置変更手段が前記指針の位置を変更する動作の終了時に、前記指針に前記表示する情報の種類に応じた停止動作を行わせる動作手段と、
を備えることを特徴とする情報表示装置である。
【発明の効果】
【０００９】
本発明によれば、情報表示装置に表示される情報が切り替わったタイミングを明瞭にすることが可能となる。
【図面の簡単な説明】
【００１０】
【図１】本実施形態における電子時計の外観を示す構成図である。
【図２】ディスク上の標識を示す図である。
【図３】電子時計の機能構成を示すブロック図である。
【図４】電子時計の早送り処理を示すフローチャートである。
【図５】正転方向の動作例を示すグラフである。
【図６】正転時の表示例を示す図である。
【図７】逆転方向の動作例を示すグラフである。
【図８】逆転時の表示例を示す図である。
【発明を実施するための形態】
【００１１】
以降、本発明を実施するための形態を、各図を参照して詳細に説明する。
図１は、本実施形態の電子時計１の正面図である。
この電子時計１（情報表示装置）は、図１に示すように、フレーム１０の内部に文字盤２が設けられ、フレーム１０の側面に押しボタンスイッチ１１，１２，１３およびリュウズ１４が設けられている。文字盤２の表示面側（上面側）には、秒針２１、分針２２ａ、時針２２ｂが配置されている。文字盤２の下方には、ディスク２３が配置されている。文字盤２と秒針２１、分針２２ａ、時針２２ｂとディスク２３により表示手段が構成される。
【００１２】
押しボタンスイッチ１１，１２，１３およびリュウズ１４は、外部からの入力操作を受け付ける操作手段である。押しボタンスイッチ１１，１２，１３は、外部からの押下操作を受け付ける。リュウズ１４は、初期位置から引き出された状態で、回転操作を受け付ける。
【００１３】
文字盤２および秒針２１、分針２２ａ、時針２２ｂの上面は、透明な風防ガラスで覆われている。また、ディスク２３の下面（文字盤２に対向する面とは反対側）のフレーム１０内には、電子時計１の駆動制御に係る各構成および電源部（不図示）が設けられ、不図示の裏蓋で覆われている。
【００１４】
文字盤２には、時刻や他の種々の機能に係る表示を行うための目盛りや標識が設けられている。また文字盤２は、３時の方向に開口窓２４が設けられ、この開口窓２４を介してディスク２３上の標識が選択的に露出される。
【００１５】
秒針２１、分針２２ａおよび時針２２ｂは、文字盤２の略中央を回転軸として、それぞれ文字盤２に平行な面内で回転自在に設けられている。ディスク２３は、文字盤２の下面側に、この文字盤２と平行に設けられた回転可能な円環部材（円盤状の部材を含む）であり、一の円周上に各種情報を示す標識が所定間隔で順番に設けられている。このディスク２３が回転動作されることにより、これら標識のうちの一つが開口窓２４から選択的に露出する。
【００１６】
図２は、ディスク２３上の標識を示す図である。
このディスク２３には、モード標識２３１に、ホームタイムモードを示す“ＨＴ”、ワールドタイムモードを示す“ＷＴ”、アラームモードを示す“ＡＬＭ”が刻印されている。このモード標識２３１が示す各モードは、他の標識が示すものよりも上位の概念であり、より大きな分類（大分類）である。
時間標識２３２に、標準時を示す“ＳＴＤ”と、夏時間を示す“ＤＳＴ”が刻印されている。アラーム標識２３４に、アラームのＯＮを示す“ＯＮ”と、アラームのＯＦＦを示す“ＯＦＦ”とが刻印されている。更に残りの領域に、ワールドタイムにおける各都市を示す都市標識２３３が刻印されている。ここで“ＬＯＮ”はロンドンを示し、“ＰＡＲ”はパリを示しており、“ＡＴＨ”はアテネを示している。“ＲＩＯ”はリオデジャネイロを示し、“ＦＥＮ”はフェルナンド・デ・ノローニャを示し、“ＲＡＩ”はプライアを示している。“ＡＴＨ”から“ＲＩＯ”までの間は図示を省略しているが、実際には世界の主要都市の略称が刻印されている。
【００１７】
図３は、電子時計１の機能構成を示すブロック図である。
電子時計１は、ＣＰＵ４１（Central Processing Unit）と、ＲＯＭ４２（Read Only Memory）と、ＲＡＭ４３（Random Access Memory）と、計時回路４４と、操作部４５とを備える。電子時計１は更に、駆動制御に係る構成として、輪列機構３１ａ〜３１ｃと、ステッピングモータ３２ａ〜３２ｃと、これを駆動するドライバ回路３３ａ〜３３ｃとを備える。これら構成では、バス４６を介して互いにコマンドやデータのやり取りが行われる。
【００１８】
各輪列機構３１ａ〜３１ｃは、複数の歯車列で構成される。
輪列機構３１ａは、ステッピングモータ３２ａのステップ動作を秒針２１に伝え、秒針２１を所定の角度ずつ回転動作させる。この秒針２１は、時刻の表示に用いられると共に、フレーム１０に設けられた都市名の標識を利用してホーム位置や世界時計に係るローカル位置の設定を行う際に利用される。
【００１９】
輪列機構３１ｂは、ステッピングモータ３２ｂのステップ動作を分針２２ａおよび時針２２ｂに伝え、分針２２ａおよび時針２２ｂを所定の角度ずつ回転動作させる。ステッピングモータ３２ｂが１ステップ駆動する際の時針２２ｂの回転角度は、分針２２ａの回転角度の１／１２である。
輪列機構３１ｃは、ステッピングモータ３２ｂの回転駆動をディスク２３に伝え、ディスク２３を所定の位置まで回転動作させる。ディスク２３は、ユーザによって設定される各種情報に応じて回転し、開口窓２４から露出される標識が変化する。このディスク２３は、ステッピングモータ３２ｃの４６５０ステップ分の駆動により１周する。ディスク２３には３１種類の異なる標識が刻印されており、隣接する標識に移動するためには１５０ステップを要する。この輪列機構３１ｃは、バックラッシュを取るためにステッピングモータ３２ｃの２０ステップの駆動を要する。
【００２０】
ドライバ回路３３ａ〜３３ｃは、ステッピングモータ３２ａ〜３２ｃをそれぞれ駆動させるための駆動電圧パルスを、適切なタイミングとパルス幅で出力する。駆動電圧パルスの幅は、ＣＰＵ４１からの制御信号により適宜調節可能である。また、複数のステッピングモータを同時に駆動する制御信号が入力された場合、ドライバ回路３３ａ〜３３ｃは、電子時計１の最大負荷に応じて問題が生じない範囲で適宜駆動タイミングをずらして駆動電圧パルスを出力する。
これらドライバ回路３３ａ〜３３ｃと、ステッピングモータ３２ａ〜３２ｃと、輪列機構３１ａ〜３１ｃとは、表示する情報に基づいて各指針の位置を変更する位置変更手段である。
【００２１】
ＣＰＵ４１は、各種演算処理を行い、電子時計１の全体動作を統括制御する。また、ＣＰＵ４１は、現在位置や世界時計の表示設定を行い、アラームのＯＮ／ＯＦＦの表示設定を行い、サマータイムと標準時の表示設定を行う。更にＣＰＵ４１は、ホームタイム／ワールドタイム／アラームのモードの表示設定を行う。このＣＰＵ４１は、ディスク２３の位置を変更する動作の終了時に、ディスク２３に表示する情報の種類に応じた停止動作を行わせる動作手段としても機能する。
ＲＯＭ４２は、この電子時計１の動作に係る制御プログラムや設定データを格納する。ＲＯＭ４２には、上書き更新が可能なフラッシュメモリなどの不揮発性メモリが含まれていてもよく、この場合には制御プログラムの変更などに応じて適宜書き換えられればよい。
【００２２】
ＲＡＭ４３は、ＣＰＵ４１に作業用のメモリ空間を提供し、一時データや更新可能な設定データを記憶する揮発性メモリである。この更新可能な設定データには、ユーザの主たる所在地を示すホーム位置に係る位置情報や、ディスク２３により世界時計表示を行わせるローカル位置に係る位置情報などが含まれる。
【００２３】
計時回路４４は、図示略の発振回路で生成された所定の周波数のクロック信号に基づいて現在の日時を計数保持する。この計時回路４４が保持する日時は、この電子時計１独自のシステム時計であってもよく、また、ＵＴＣ（Coordinated Universal Time）日時などの基準となる日時であってもよい。
【００２４】
操作部４５は、押しボタンスイッチ１１，１２，１３の押下操作およびリュウズ１４の引き出し、押し戻し、回転操作を検出して、操作種別に応じた入力信号をＣＰＵ４１に出力する。
【００２５】
図４は、この電子時計１の早送り処理を示すフローチャートである。
ユーザが所定の設定操作を行うと、この図４の早送り処理が開始する。
最初、ＣＰＵ４１は、現在の設定を表示するセット位置を算出し、現在位置とセット位置から回転方向と移動ステップを算出する（ステップＳ１０）。なお、ＣＰＵ４１は、現在位置からセット位置まで正転で移動するステップと、逆転で移動するステップとを算出し、移動ステップが少ない方を回転方向として決定する。例えば、“ＨＴ”表示位置からセットされた“ＯＦＦ”表示位置までの移動ステップは、正転方向に１５０ステップである。また、“ＨＴ”表示位置から、セットされた“ＷＴ”表示位置までの移動ステップは、バックラッシュを取る逆転方向の２０ステップと逆転方向の１５０ステップとを加算した１７０ステップである。
【００２６】
ＣＰＵ４１は、算出した回転方向が逆転方向ならば（ステップＳ１１→逆転）、バックラッシュステップ（２０ステップ）分だけ逆転で早送りし（ステップＳ１２）、その後、移動ステップ分だけ逆転で早送りする（ステップＳ１３）。この早送り速度は、いずれも２００ｐｐｓ（Pulse Per Second）である。
【００２７】
ＣＰＵ４１は、算出した回転方向が正転方向ならば（ステップＳ１１→正転）、移動ステップ分だけ正転で早送りし（ステップＳ１４）、その後、バックラッシュステップ（２０ステップ）分だけ逆転で早送りする（ステップＳ１５）。この早送り速度は、いずれも２００ｐｐｓである。
【００２８】
ステップＳ１３，Ｓ１５に次いでＣＰＵ４１は、振り戻しによる停止動作を行う。
ＣＰＵ４１は、振り戻しステップ（５０ステップ）分だけ逆転方向に早送りする（ステップＳ１６）。これによりＣＰＵ４１は、開口窓２４に表示される標識を上にずらすことができる。この早送り速度は１００ｐｐｓであり、現在位置からセット位置まで早送りしたときの速度の半分である。このようにすることで、停止動作をユーザに目立たせることができる。
【００２９】
次いでＣＰＵ４１は、バックラッシュステップ（２０ステップ）分だけ正転で早送りする（ステップＳ１７）。この早送り速度は２００ｐｐｓである。
更にＣＰＵ４１は、振り戻しステップ（５０ステップ）分だけ正転方向に早送りする（ステップＳ１８）。これによりＣＰＵ４１は、上にずれた標識を再び開口窓２４の中央に戻すことができる。この早送り速度は１００ｐｐｓであり、現在位置からセット位置まで早送りしたときの速度の半分である。このようにすることで、停止動作をユーザに目立たせることができる。
【００３０】
ＣＰＵ４１は、セット位置がモードであるか否かを判別する（ステップＳ１９）。ここでモードとは、ホームタイムモード、ワールドタイムモード、アラームモードであり、他の標識が表示するものよりも上位の概念（大分類）である。ＣＰＵ４１は、セット位置がモードでないならば（ステップＳ１９→Ｎｏ）図４の処理を終了し、セット位置がモードならば（ステップＳ１９→Ｙｅｓ）、もう一度、振り戻しによる停止動作を行う。
【００３１】
ＣＰＵ４１は、バックラッシュステップ（２０ステップ）分だけ逆転で早送りする（ステップＳ２０）。この早送り速度は、２００ｐｐｓである。
ＣＰＵ４１は、振り戻しステップ（５０ステップ）分だけ逆転方向に早送りする（ステップＳ２１）。これによりＣＰＵ４１は、開口窓２４に表示される標識を上にずらすことができる。この早送り速度は５０ｐｐｓであり、前回の振り戻し速度の半分である。このようにすることで、モードに係る停止動作をユーザに目立たせることができる。
【００３２】
次いでＣＰＵ４１は、バックラッシュステップ（２０ステップ）分だけ正転で早送りする（ステップＳ２２）。この早送り速度は２００ｐｐｓである。
更にＣＰＵ４１は、振り戻しステップ（５０ステップ）分だけ正転方向に早送りする（ステップＳ２３）。これによりＣＰＵ４１は、上にずれた標識を再び開口窓２４の中央に戻すことができる。この早送り速度は５０ｐｐｓであり、前回の振り戻し速度の半分である。このようにすることで、モードに係る停止動作をユーザに目立たせることができる。ステップＳ２３の処理が終了すると、ＣＰＵ４１は、図４の処理を終了する。
【００３３】
《正転方向の動作例》
以下、図５と図６により、“ＨＴ”表示位置から、新たにセットされた“ＯＦＦ”表示位置までの移動動作を説明する。このとき、正転方向の動作となる。
図５は、この正転方向の動作例を示すグラフである。図５の上側に示したグラフはステッピングモータ３２ｃの駆動ステップを示し、下側に示したグラフはディスク２３の動きを示している。両グラフの横軸は、共通する時間を示している。図６は、図５で示した時刻のうちの幾つかで開口窓２４に表示される標識（情報）を示している。
【００３４】
図６に示すように、時刻ｔ０において、ディスク２３は、開口窓２４の中央に“ＨＴ”を表示している。“ＨＴ”の文字の高さはＬ１である。開口窓２４は、“ＨＴ”の文字の上側にＬ０のマージンを、“ＨＴ”の文字の下側にＬ２のマージンを有している。以下、この位置を駆動ステップの０とし、ディスク２３の回転を０として説明する。
図５に示すように時刻ｔ０から時刻ｔ２までの間、ステッピングモータ３２ｃは、１５０ステップ分だけ正転方向に、２００ｐｐｓの速度で回転する。
時刻ｔ１は、時刻ｔ０と時刻ｔ２との中間である。この時刻ｔ１において、ディスク２３は、開口窓２４に“ＨＴ”と“ＯＦＦ”の中間位置を表示している。図５に示すように、時刻ｔ１における駆動ステップは７５であり、ディスク２３の回転は０．５である。
【００３５】
図６に示すように、時刻ｔ２において、ディスク２３は、開口窓２４の中央に“ＯＦＦ”を表示している。図５に示すように、時刻ｔ２における駆動ステップは１５０であり、ディスク２３の回転は１．０となる。その後、時刻ｔ２から時刻ｔ３までの間、ステッピングモータ３２ｃは、２０ステップ分だけ逆転方向に２００ｐｐｓで回転する。これにより電子時計１は、逆転方向のバックラッシュを取ることができる。
【００３６】
時刻ｔ３において、ディスク２３は、開口窓２４の中央に引き続き“ＯＦＦ”を表示している。時刻ｔ３における駆動ステップは１３０であり、ディスク２３の回転は１．０である。時刻ｔ３から時刻ｔ４までの間、ステッピングモータ３２ｃは、５０ステップ分だけ逆転方向に１００ｐｐｓで回転する。これにより電子時計１は、開口窓２４に表示される標識を上にずらすことができる。ここでステッピングモータ３２ｃの５０ステップ分の回転によるディスク２３の振り戻し量は、図６に示したマージンＬ０よりも小さい。これにより、振り戻しの際に情報を正しく開口窓２４に表示し続けることができ、ディスク２３が何処で動作を停止したかを明瞭にすることができる。
振り戻しにおけるステッピングモータ３２ｃの回転速度は１００ｐｐｓであり、ディスク２３の表示を“ＨＴ”から“ＯＦＦ”に変更する際の回転速度とは異なる。これにより電子時計１は、振り戻し動作（停止動作）を明瞭にすることができる。
【００３７】
図６に示すように、時刻ｔ４において、ディスク２３は“ＯＦＦ”を、開口窓２４の上部に表示している。時刻ｔ４における駆動ステップは８０であり、ディスク２３の回転は０．６７である。このようにして最初の振り戻しが行われる。その後、時刻ｔ４から時刻ｔ５までの間、ステッピングモータ３２ｃは、２０ステップ分だけ正転方向に２００ｐｐｓで回転する。これにより、正転方向のバックラッシュを取ることができる。
時刻ｔ５において、駆動ステップは１００であり、ディスク３２の回転は０．６７である。その後、時刻ｔ５から時刻ｔ６まで、ステッピングモータ３２ｃは、５０ステップ分だけ正転方向に１００ｐｐｓで回転する。これにより、電子時計１は、上にずれた標識を再び開口窓２４の中央に戻すことができる。
図６に示すように、時刻ｔ６においてディスク２３が、開口窓２４の中央に“ＯＦＦ”を表示している場合には、これ以上の振り戻しは行われず、太破線で示したようになる。しかし、ディスク２３が、開口窓２４の中央に“ＨＴ”，“ＷＴ”，“ＡＬＭ”のうちいずれかを表示している場合、太実線で示したように、更にもう１回の振り戻しが行われる。この動作を以下に説明する。
【００３８】
時刻ｔ６から時刻ｔ７までの間、ステッピングモータ３２ｃは、２０ステップ分だけ逆転方向に２００ｐｐｓで回転する。これにより、電子時計１は、逆転方向のバックラッシュを取ることができる。
時刻ｔ７において、駆動ステップは１３０であり、ディスクの回転は１．０である。時刻ｔ７から時刻ｔ８までの間、ステッピングモータ３２ｃは、５０ステップ分だけ逆転方向に５０ｐｐｓで回転する。これにより電子時計１は、開口窓２４に表示される標識を上にずらすことができる。
２回目の振り戻しにおけるステッピングモータ３２ｃの回転速度は５０ｐｐｓであり、最初の振り戻しにおける回転速度とは異なる。これにより、電子時計１は、２回目の振り戻し動作であることを明瞭にすることができる。
【００３９】
時刻ｔ８において、駆動ステップは８０であり、ディスクの回転は０．６７である。このようにして２回目の振り戻しが行われる。時刻ｔ８から時刻ｔ９までの間、ステッピングモータ３２ｃは、２０ステップ分だけ正転方向に２００ｐｐｓで回転する。これにより、電子時計１は、正転方向のバックラッシュを取ることができる。
時刻ｔ９において、駆動ステップは１００であり、ディスクの回転は０．６７である。その後、時刻ｔ９から時刻ｔ１０まで、ステッピングモータ３２ｃは、５０ステップ分だけ正転方向に１００ｐｐｓで回転する。これにより、電子時計１は、上にずれた標識を再び開口窓２４の中央に戻すことができる。
【００４０】
《逆転方向の動作例》
以下、図７と図８により、“ＨＴ”表示位置から、新たにセットされた“ＷＴ”表示位置までの移動動作を説明する。このとき、逆転方向の動作となる。
図７は、この逆転方向の動作例を示すグラフである。図８は、逆転時の表示例を示す図である。図７の上側に示したグラフはステッピングモータ３２ｃの駆動ステップを示し、下側に示したグラフはディスク２３の動きを示している。両グラフの横軸は、共通する時間を示している。図８は、図７で示した時刻のうちの幾つかで開口窓２４に表示される標識（情報）を示している。
【００４１】
図８に示すように、時刻ｔ２０において、ディスク２３は、開口窓２４の中央に“ＨＴ”を表示している。以下、この位置を駆動ステップの０とし、ディスク２３の回転を０として説明する。
図７に示すように時刻ｔ２０から時刻ｔ２３までの間、ステッピングモータ３２ｃは、１７０ステップ分だけ逆転方向に、２００ｐｐｓの速度で回転する。時刻ｔ２０から時刻ｔ２１までの間、逆転方向のバックラッシュのためディスク２３は回転しない。時刻ｔ２１において駆動ステップは−２０となり、逆転方向のバックラッシュが取れるので、ディスク２３は逆転方向に回転を始める。
【００４２】
時刻ｔ２２は、時刻ｔ２１と時刻ｔ２３との中間である。図８に示すように、時刻ｔ２２において、ディスク２３は、開口窓２４に“ＨＴ”と“ＷＴ”の中間位置を表示している。図７に示すように、時刻ｔ２２における駆動ステップは９５であり、ディスク２３の回転は０．５である。
図８に示すように、時刻ｔ２３において、ディスク２３は、開口窓２４の中央に“ＷＴ”を表示している。図７に示すように、時刻ｔ２３における駆動ステップは１７０であり、ディスク２３の回転は−１．０となる。その後、時刻ｔ２３から時刻ｔ２４までの間、ステッピングモータ３２ｃは、５０ステップ分だけ逆転方向に１００ｐｐｓで回転する。これにより電子時計１は、開口窓２４に表示される標識を上にずらすことができる。
【００４３】
図８に示すように、時刻ｔ２４において、ディスク２３は“ＷＴ”を、開口窓２４の上部に表示している。図７に示すように、時刻ｔ２４における駆動ステップは−２２０であり、ディスク２３の回転は−１．３３となる。その後、時刻ｔ２４から時刻ｔ２５までの間、ステッピングモータ３２ｃは、２０ステップ分だけ正転方向に２００ｐｐｓで回転する。これにより、正転方向のバックラッシュを取ることができる。
【００４４】
時刻ｔ２５において、ディスク２３は、開口窓２４の上部に引き続き“ＷＴ”を表示している。このときの駆動ステップは−２００であり、ディスク２３の回転は−１．３３である。
その後、時刻ｔ２５から時刻ｔ２６まで、ステッピングモータ３２ｃは、５０ステップ分だけ正転方向に１００ｐｐｓで回転する。これにより、電子時計１は、上にずれた標識を再び開口窓２４の中央に戻すことができる。
【００４５】
時刻ｔ２６においてディスク２３が、開口窓２４の中央に“ＨＴ”，“ＷＴ”，“ＡＬＭ”のうちいずれかを表示している場合には、太実線で示したように、更にもう１回の振り戻しが行われる。しかし、ディスク２３が開口窓２４の中央に、“ＨＴ”，“ＷＴ”，“ＡＬＭ”以外を表示している場合、太破線で示したようにディスク２３は停止する。
ここでは、図８に示すように、時刻ｔ２６においてディスク２３が、開口窓２４の中央に“ＷＴ”を表示しているので、太実線で示した動作となる。この動作を以下に説明する。
【００４６】
時刻ｔ２６から時刻ｔ２７までの間、ステッピングモータ３２ｃは、２０ステップ分だけ逆転方向に２００ｐｐｓで回転する。これにより、逆転方向のバックラッシュを取ることができる。
時刻ｔ２７において、駆動ステップは−１７０であり、ディスクの回転は−１．０である。時刻ｔ２７から時刻ｔ２８までの間、ステッピングモータ３２ｃは、５０ステップ分だけ逆転方向に５０ｐｐｓで回転する。これにより電子時計１は、開口窓２４に表示される標識を上にずらすことができる。
【００４７】
図８に示すように、時刻ｔ２８において、駆動ステップは−２２０であり、ディスクの回転は−１．３３である。このようにして２回目の振り戻しが行われる。時刻ｔ２８から時刻ｔ２９までの間、ステッピングモータ３２ｃは、２０ステップ分だけ正転方向に２００ｐｐｓで回転する。これにより、正転方向のバックラッシュを取ることができる。
時刻ｔ２９において、駆動ステップは−２００であり、ディスクの回転は−１．３３である。その後、時刻ｔ２９から時刻ｔ３０まで、ステッピングモータ３２ｃは、５０ステップ分だけ正転方向に１００ｐｐｓで回転する。これにより、図８の時刻ｔ３０に示すように、電子時計１は、上にずれた標識を再び開口窓２４の中央に戻すことができる
【００４８】
このような振り戻しによる停止動作により、電子時計１は、ディスクの停止するタイミングを明瞭にユーザに示すことができる。電子時計１は更に、モードに応じた停止動作を行うことにより、表示するモードをユーザに明瞭に示すことができる。
本実施形態の電子時計１は、大分類のモードほど多くの振り戻し動作を行うので、表示するモードが大分類であることを明瞭に示すことができる。
【００４９】
（変形例）
本発明は、上記実施形態に限定されることなく、本発明の趣旨を逸脱しない範囲で、変更実施が可能であり、例えば、次の（ａ）〜（ｃ）のようなものがある。
（ａ）  本発明は電子時計に限定されず、計測器や携帯機器など、任意の情報表示装置に適用されてもよい。
（ｂ）  停止動作は、セット位置への移動後の振り戻し動作に限定されず、例えばセット位置への移動終了直前の減速動作や、セット位置への移動終了に伴う減衰振動など、任意の動作であってもよく、限定されない。
【００５０】
（ｃ）  本発明の停止動作は、ディスク状の機能針に限定されず、秒針・分針・時針などに適用してもよい。更に秒針・分針・時針などにより、時刻以外の情報（モードなど）を表示する際に、表示する情報に応じた停止動作を針に行わせてもよい。
【００５１】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
表示する情報に基づいて指針の位置を変更する位置変更手段と、
前記位置変更手段が前記指針の位置を変更する動作の終了時に、前記指針に前記表示する情報の種類に応じた停止動作を行わせる動作手段と、
を備えることを特徴とする情報表示装置。
《請求項２》
前記位置変更手段は、前記指針が前記情報を表示した時を前記指針の位置を変更する動作の終了時とする、
ことを特徴とする請求項１に記載の情報表示装置。
《請求項３》
前記動作手段が行う停止動作は、前記指針を振り戻す動作である、
ことを特徴とする請求項１または２に記載の情報表示装置。
《請求項４》
前記動作手段は、前記指針が前記情報を表示している範囲で、前記指針を振り戻す、
ことを特徴とする請求項３に記載の情報表示装置。
《請求項５》
前記動作手段は、前記指針が表示する情報の種類に応じて、前記指針を振り戻す回数を決定する、
ことを特徴とする請求項３に記載の情報表示装置。
《請求項６》
前記動作手段は、前記指針が表示する情報の種類が大分類ほど、前記停止動作において前記指針を振り戻す回数を多くする、
ことを特徴とする請求項５に記載の情報表示装置。
《請求項７》
前記動作手段は、前記位置変更手段が前記指針の位置を変更する際の速度とは異なる速度で前記停止動作を行う、
ことを特徴とする請求項１ないし６のうちいずれか１項に記載の情報表示装置。
《請求項８》
前記指針は、時針、分針、秒針、ディスクのうちのいずれかである、
ことを特徴とする請求項１ないし７のうちいずれか１項に記載の情報表示装置。
《請求項９》
指針を駆動する駆動手段を備えるコンピュータに、
表示する情報に基づいて、前記駆動手段により指針の位置を変更する位置変更手段、
前記位置変更手段が前記指針の位置を変更する動作の終了時に、前記指針に前記表示する情報の種類に応じた停止動作を行わせる動作手段、
として機能させるためのプログラム。
【符号の説明】
【００５２】
１  電子時計  （情報表示装置）
１０  フレーム
１１〜１３  押しボタンスイッチ
１４  リュウズ
２  文字盤
２１  秒針
２２ａ  分針
２２ｂ  時針
２３  ディスク
２３１  モード標識
２３２  時間標識
２３３  都市標識
２３４  アラーム標識
２４  開口窓
３１ａ〜３１ｃ  輪列機構  （位置変更手段の一部）
３２ａ〜３２ｃ  ステッピングモータ  （位置変更手段の一部）
３３ａ〜３３ｃ  ドライバ回路  （位置変更手段の一部）
４１  ＣＰＵ  （動作手段）
４２  ＲＯＭ
４３  ＲＡＭ
４４  計時回路
４５  操作部
４６  バス
【図１】
2017227551.tif 000003
【図２】
2017227551.tif 000004
【図３】
2017227551.tif 000005
【図４】
2017227551.tif 000006
【図５】
2017227551.tif 000007
【図６】
2017227551.tif 000008
【図７】
2017227551.tif 000009
【図８】
2017227551.tif 000010